(57)【特許請求の範囲】
【請求項１】
樹脂成型品を破砕するとともに、破砕による衝撃と破砕物どうしの摺動接触により破砕された樹脂の表面の付着物を乾式的に除去する破砕機と、
所定形状に破砕された破砕樹脂片と前記付着物を含む汚染物とを風力を加えながら風力選別機まで搬送する搬送機と、
前記破砕樹脂片と前記汚染物とを分別し、分別された前記破砕樹脂片と前記汚染物とを、それぞれ個別に収納する前記風力選別機とを備え、
前記破砕機は、複数の固定刃と複数の回転刃と、前記回転刃を囲うように設けられ所定の大きさの孔を複数有する篩板とを有し、
前記篩板は、前記回転刃と同心状に配置され、かつ、所定の形状の破砕樹脂片のみが通過するように前記回転刃との距離を調整できる構成を有することを特徴とする廃棄樹脂成型品の乾式リサイクル処理装置。
【請求項２】
前記風力選別機は、風力の強弱および風量が調整可能で、さらに前記風力および風量を調整する複数の分別調整板が配置されており、前記分別調整板は交互に向き合い、所定間隔を有して互いに重なり合い、取り付け角度および前記風力選別機の内壁との隙間と、前記分別調整板どうしの間隔が調整自在に構成されていることを特徴とする請求項１記載の廃棄樹脂成型品の乾式リサイクル処理装置。
【請求項３】
前記分別調整板は、この分別調整板を前記風力選別機の内壁へ取り付ける取り付け部を有するとともに、前記取り付け部近傍に複数の孔を設けたことを特徴とする請求項２記載の廃棄樹脂成型品の乾式リサイクル処理装置。
【請求項４】
前記分別調整板は、移動と固定が可能な補助板をさらに有し、長さ調整ができる構造としたことを特徴とする請求項２または３に記載の廃棄樹脂成型品の乾式リサイクル処理装置。
【請求項５】
所定の温度および湿度に設定した空気を風力として用いることを特徴とする請求項１から４のいずれか１項に記載の廃棄樹脂成型品の乾式リサイクル処理装置。
【発明の詳細な説明】
【技術分野】
【０００１】
本発明は、ＯＡ機器を含む電気機器、特に家庭用電気機器に用いられている樹脂成型品の乾式によるリサイクル処理装置に関する。
【背景技術】
【０００２】
図６は、廃棄樹脂成型品を再利用するための従来方式である湿式リサイクル方式の工程を示すフローチャートである。
【０００３】
ステップ１（以下、ステップはＳＴＰと記載する）において廃棄樹脂成型品を搬入した後、組み付け部品の確認と除去を行い、さらに材質別に仕分ける。ＳＴＰ２において、廃棄樹脂成型品を破砕し所定の大きさと形状の破砕樹脂とする。破砕は、互いに噛み合うように回転する二つの回転刃の間で破砕する等、既知の破砕装置を用いている。
【０００４】
つぎに、ＳＴＰ３において、破砕樹脂は洗浄装置に投入され洗浄液を用いて洗浄される。洗浄は、既知の攪拌式洗浄機や超音波洗浄機等の洗浄装置を用いている。洗浄槽内で洗浄液と破砕樹脂とは混合攪拌され、洗浄液の洗浄力により破砕樹脂表面の汚れや変質層及び付着物からなる汚染物が除去される。
【０００５】
ＳＴＰ４において、再利用する破砕樹脂と、破砕時に生じた再利用が難しい微粉砕片や汚れ成分とを分別する。分別は、洗浄槽内の洗浄液、破砕樹脂、微粉砕片、汚れ成分を含めて同時に所定の篩目を有する篩い装置にかけて行う。
【０００６】
篩いにより、回収すべき所定の大きさの破砕樹脂は篩上に残り、洗浄液、所定の大きさ以下の破砕樹脂、微粉砕片および汚れ成分は、篩目をとおり抜けることで分別される。篩い装置の篩目の大きさは、一般的にはＳＴＰ５において回収する破砕樹脂の大きさが１０ｍｍ角程度になるように設定されることが多い。
【０００７】
さらに、所定の大きさ以下の破砕樹脂および微粉砕片からなる固体状物質と、汚れ成分を含む洗浄廃液とは分別されて、環境保護のための処理を行った後廃棄処理される。特に、強酸性や強アルカリ性であることの多い洗浄液の廃棄は、環境負荷が大きいために中和や希釈等の負荷低減の配慮が大事である。
【０００８】
ＳＴ６において、分別された破砕樹脂はすすぎ洗浄が行われる。
【０００９】
ＳＴ６においてすすぎ洗浄が終了すると、ＳＴ７において破砕樹脂は乾燥される。乾燥は加熱乾燥や熱風乾燥が一般的である。乾燥終了後、ＳＴＰ８において一般に磁石等の金属を除去する装置を通して金属を除去した後収納する。
【００１０】
このような工程を経ることにより、表面の汚れが除去され、一定の大きさに揃えられた破砕樹脂が得られるので、これをそのまま再利用または所定の形状のペレットに加工してから再利用している。（例えば特許文献１参照）
【特許文献１】特開２００１−３３７４２３号公報（第４頁、図４など）
【発明の開示】
【発明が解決しようとする課題】
【００１１】
上記の廃棄樹脂成型品のリサイクル方法によれば、リサイクルする樹脂は洗浄液を用いることにより、樹脂表面の汚れ成分を除去して清浄化が行われていた。したがって、リサイクルした破砕樹脂を再使用するためには、洗浄液により破砕樹脂の特性を劣化させないで、かつ付着した汚れ成分を除去することが必要である。
【００１２】
また、破砕樹脂表面から洗浄液を確実に除去するためには、充分なすすぎ洗浄を行い、乾燥させる作業工程が必要である。さらに、これらの使用済み洗浄液、すすぎ洗浄液を中和処理等の無害化して廃棄するための設備やその管理も必要である。
【００１３】
本発明は、上記課題を解決するためになされたもので、洗浄液を必要としない方法で樹脂表面の汚染物を除去することができる乾式リサイクル処理装置を提供することを目的とする。
【課題を解決するための手段】
【００１４】
上記したような課題を解決するために、本発明の廃棄樹脂成型品のリサイクル装置は、樹脂成型品を破砕するとともに、破砕による衝撃と破砕物どうしの摺動接触により破砕された樹脂の表面の付着物を乾式的に除去する破砕機と、所定形状に破砕された破砕樹脂片と前記付着物を含む汚染物とを風力を加えながら風力選別機まで搬送する搬送機と、前記破砕樹脂片と前記汚染物とを分別し、分別された前記破砕樹脂片と前記汚染物とを、それぞれ個別に収納する前記風力選別機とを備え、前記破砕機は、複数の固定刃と複数の回転刃と、前記回転刃を囲うように設けられ所定の大きさの孔を複数有する篩板とを有し、前記篩板は、前記回転刃と同心状に配置され、かつ、所定の形状の破砕樹脂片のみが通過するように前記回転刃との距離を調整できる構成を有する。
【００１５】
この構成により、破砕機により破砕樹脂片と汚染物とに分離された状態を保持した状態で篩を通過し、そのまま風力を加えた搬送機により破砕機から風力選別機に搬送し、それぞれを分別して収納することができる。このため、汚染物の再付着等が生じ難く、確実な分別が行える。
【００１６】
また、回転刃は切断された破砕樹脂片と汚染物を受けて所定の形状の破砕樹脂片のみが通過することができる篩板で囲われており、かつ回転刃との間に形成する空間を調整できることから、篩目を通過できない形状の破砕樹脂片は篩板で囲われた空間において、回転刃により通過できる形状まで繰り返し破砕が行われる。
【００１７】
この間の破砕時の衝撃と破砕物同士の摺動接触により、破砕樹脂表面の汚れ、変質層および付着物からなる汚染物を確実に除去することができる。
【００１８】
さらに、本発明の廃棄樹脂成型品の乾式リサイクル処理装置の風力選別機は、風力の強弱および風量が調整可能で、さらに風力および風量を調整する複数の分別調整板が配置されており、この分別調整板は交互に向き合い、所定間隔を有して互いに重なり合い、取り付け角度および装置内壁との隙間と分別調整板同士の間隔が調整自在な構成としてもよい。
【００１９】
また、この分別調整板は、この分別調整板を風力選別機の内壁へ取り付ける取り付け部を有するとともに、取り付け部近傍に複数の孔を設けてもよい。また、移動と固定が可能な補助板をさらに有し、長さ調整ができる構造としてもよい。
【００２１】
このような構成とすることにより、廃棄樹脂成型品の材質に応じて最適な風力、風量および風の流れを設定することができる。
【００２２】
さらに、本発明の廃棄樹脂成型品の乾式リサイクル処理装置は、所定の温度および湿度に設定した空気を風力として用いる構成としてもよい。この構成により、作業工程中に装置内部を所定の温度と湿度雰囲気にすることができ、破砕樹脂片に静電気発生や水分付着が生じなくできるので、一旦除去された汚染物が静電気や水分によって再付着するのを防止することができる。
【発明の効果】
【００２３】
本発明の廃棄樹脂成型品の乾式リサイクル処理装置によれば、洗浄液を用いないので、洗浄、すすぎ洗浄および乾燥工程が不要となる。このため、洗浄廃液等の処理装置が不要であり、環境に対してより安全にすることができる。
【００２４】
また、リサイクルにより作製された廃棄樹脂片は、洗浄液による変質等も生じなく、当初有していた樹脂特性をほぼ保持させることができ、この樹脂から成型した成型品の品質を安定化することができるという大きな効果を奏する。
【発明を実施するための最良の形態】
【００２５】
図１は、本発明の廃棄樹脂成型品の乾式リサイクル処理装置を用いた処理方法を説明するためのフローチャートである。
【００２６】
ＳＴＰ１０において、家庭的に使用されたＯＡ機器を含む廃棄すべき電気機器のうち、リサイクル処理される樹脂成型品が搬入される。
【００２７】
ＳＴＰ１１では、この廃棄樹脂成型品に取り付けられている各種部品を除去して分別する。特に、金属部品は破砕工程において切断刃の損傷を生じやすいため可能な限り除去される。これらの金属部品の除去とともに、樹脂成型品の材質の選別管理も行う。
【００２８】
混合してもよい材質と混合しない方がよい材質とはあらかじめわかっているので、混合してもよい材質のみを同時にリサイクル処理する。これにより、再生品の品質を安定化することができる。
【００２９】
つぎに、ＳＴＰ１２においては、破砕機により廃棄樹脂成型品を破砕するとともに、その表面に付着あるいは固着している汚染物を除去する。破砕機としては、互いに噛み合うように回転する二つの回転刃の間で破砕する方式やドラム状の回転刃と固定刃との間で破砕する方法等種々の方式を用いることができる。
【００３０】
ただし、破砕樹脂は一回の破砕により所定の大きさになることはないので、回転刃により複数回破砕処理される構造とすることが必要である。このような複数回の破砕処理を行なうことで、破砕樹脂の表面の汚れ、付着物や表面の変質層が破砕時の衝撃力や破砕片同士の摺動あるいは引っかき力等により表面から除去される。
【００３１】
つぎに、ＳＴＰ１３では、篩板により所定の形状の破砕樹脂片を篩い分ける。このとき、破砕樹脂のうち微粉砕されたものや汚染物も篩板を通過する。以降では、これらをまとめて汚染物とよぶ。なお、篩目を通過しない形状の破砕樹脂は、篩目を通過する大きさになるまで破砕機により破砕される。
【００３２】
この後、ＳＴＰ１４において、篩い出された破砕樹脂片と汚染物とは搬送機により風力を加えながら風力選別機に搬送される。篩板を通過した破砕樹脂片と汚染物とは、この時点ではそれぞれが分離された状態となっている。この分離された状態を保持したまま風力選別機で分別を行なうことが、分別精度を向上できる点で好ましい。
【００３３】
破砕樹脂片と汚染物とが分離後に接触した状態が長時間保持されると、汚染物が再付着して単純な風力選別での選別が困難になる。このため、破砕樹脂片と汚染物とが分離されている状態を保持するために風力を加えながら搬送する。このように風力を加えると、汚染物の再付着が大幅に抑制されるので風力選別での分別精度を大幅に向上できる。
【００３４】
つぎに、ＳＴＰ１５では、風力選別により破砕樹脂片と汚染物とが分別される。このとき、破砕樹脂片と汚染物とは風力を加えながら搬送されて風力選別機に搬送されるため、汚染物と破砕樹脂片とは互いに分離した状態を保持している。この結果、軽量な汚染物と比較的重量がある破砕樹脂片との風力選別が確実に行なえる。
【００３５】
つぎに、ＳＴＰ１６では、分別された破砕樹脂片と汚染物のうち、汚染物は空気流と同じ方向に流れて、空気の出口部に配置してある汚染物収納容器に収納される。また、破砕樹脂片は、破砕樹脂片回収容器が配置してある近傍の筺体に設置された磁石により金属片の除去が行なわれた後、破砕樹脂片回収容器に回収される。
【００３６】
ＳＴＰ１７では、回収された破砕樹脂片がリサイクル工程に送られて再び新しい樹脂成型品として利用される。このとき、破砕樹脂片をそのまま次の樹脂成型工程で用いることもできるが、さらに所定のペレット化を行ってから樹脂成型工程で用いる方式としてもよい。また、回収された汚染物と金属片とはそれぞれ適切な処理を行なった後、廃棄される。
【００３７】
以上が本発明の廃棄樹脂成型品の乾式リサイクル処理装置を用いた処理方法であるが、本発明の乾式リサイクル処理装置を用いた処理方法においては、すべての処理工程が乾式プロセスであるので、洗浄液や薬剤等を使用しないので廃液処理等も不要であり、工程が簡略であるだけでなく、環境的にも負荷を小さくできる。
【００３８】
図２は、上記の廃棄樹脂成型品の乾式リサイクル処理方法についての、具体的な処理装置の一例を示す概略図である。また、図３はこの装置における破砕機部分の断面図で、図４は風力選別機部分の断面図である。なお、同じ要素には同じ符号を付している。
【００３９】
本発明の乾式リサイクル処理装置は、破砕機１００、この破砕機１００から破砕後の汚染物と破砕樹脂片とが混合した状態で風力選別機３００に搬送するための搬送機２００、これらの汚染物と破砕樹脂片との搬送を少なくとも補助するための風力を与えるための送風機６５０、風力選別機３００、風力選別機３００に所定の空気流を発生させるための空気吸引機４００、破砕機１００と風力選別機３００内を所定の温度と湿度に保持するために導入空気の温湿度調整を行う温湿度調整機６００、分別後の汚染物を回収する汚染物収納容器５００、およびリサイクル可能な破砕樹脂片を回収する破砕樹脂片回収容器５５０により構成されている。
【００４０】
なお、温湿度調整機６００からの空気を風力選別機３００と破砕機１００とに送風するために、破砕機用送風ダクト８００と破砕機用バルブ８５０、および選別機用送風ダクト７００と選別機用バルブ７５０とが設けられている。選別機用バルブ７５０と破砕機用バルブ８５０とは、温湿度調整機６００からの空気を破砕機１００と風力選別機３００とに対して同時に、または個別にそれぞれ任意に選択して送風できるように設けている。
【００４１】
図３は、破砕機１００の構造をさらに詳細に説明するための断面図である。破砕機１００には、直方体形状の筐体１０２の上部側に開閉自在の蓋１０４が取り付けられており、この蓋１０４を開閉してリサイクルする廃棄樹脂成型品を投入する。筐体１０２の上部側に破砕機用ダクト８００が取り付けられ、下部側には搬送機２００の端部が取り付けられている。
【００４２】
また、筐体１０２のほぼ中央部にはドラム状の回転刃１１０が配置されている。回転刃１１０は、ドラム１０６の外周部に切断刃１０８が交換可能な方式で複数個取り付けられている。
【００４３】
この回転刃１１０は、図示しない負荷制御機能を有するモータにより回転駆動される。回転刃１１０に対向する位置に固定刃１１２が配置されている。この固定刃１１２と切断刃１１０との隙間寸法を調整することで、破砕する樹脂片の大きさを制御する。なお、固定刃１１２も交換可能な取り付け構造としている。
【００４４】
篩板１１４には所定の大きさの篩目が設けられており、回転刃１１０と同心状で、かつ所定の間隔を持って回転刃１１０の下部側に配置されている。廃棄樹脂成型品の表面から除去された汚染物と篩目を通過する形状の破砕樹脂片とが篩板１１４から篩目を通過して下部に落ちていき、これらは風力を含めた搬送力により搬送機２００から風力選別機３００に搬送される。
【００４５】
搬送機２００は、送風機６５０により発生する風力を用いて物体を搬送する構成が望ましいが、風力のみで搬送するのではなく、例えば風力とベルトコンベアとを組み合わせて搬送する構成でもよい。
【００４６】
また、搬送機２００は破砕機１００と風力選別機３００とを直結する構造ではなくてもよい。例えば、破砕樹脂片と汚染物とが混合したものを破砕機１００から一旦取出し、搬送機にのせて風力選別機３００に搬送する構成でもよい。または、風力選別機３００の直前にサイクロンを設置して、一旦破砕樹脂片と汚染物とを収納してから風力選別機３００に投入する構成等であってもよい。
【００４７】
図４は、風力選別機３００の構造をさらに詳細に説明するための断面図である。風力選別機３００は、円筒状または直方体状の筐体３０２の内部に複数の分別調整板３０４ａ、３０４ｂ、３０４ｃ、３０４ｄ、４０３ｅが設けられ、搬送機２００のもう一方の端部と筐体３０２の上部側面部とが接続されている。
【００４８】
また、温湿度調整された空気を送り込む分別機用送風ダクト７００が筐体の下部側面部で接続されている。さらに、所定の空気流を発生させるために空気吸引機４００が上部面側に取り付けられ、この延長部に分別後の汚染物を回収する汚染物収納容器５００が配置されている。
【００４９】
また、筐体３０２の下部面側には、破砕樹脂片を回収する破砕樹脂片回収容器５５０が配置されている。この破砕樹脂片が破砕樹脂片回収容器５５０に落下する直前の位置に金属分別用磁石３０６が配置されており、破砕樹脂回収容器５５０中に金属片が混入することを防止している。
【００５０】
複数配置された分別調整板３０４ａ、３０４ｂ、３０４ｃ、３０４ｄ、３０４ｅは、それぞれ独立に一定の角度範囲で角度の変更と長さが調整可能な構造とされている。なお、本実施の形態の乾式リサイクル処理装置においては、分別調整板３０４ａ、３０４ｂ、３０４ｃ、３０４ｄ、４０３ｅは４枚が大きな形状で、１枚が小さな形状からなる、枚数については特に制約はない。
【００５１】
それぞれ隣り合う分別調整板、例えば最上部の分別調整版３０４ａの先端部と次に配置されている分別調整板３０４ｂの平面部との間隔は、廃棄樹脂片は落下するが、汚染物は上方に吹き上げられることが可能な最適な空気流速および間隔となるように調整されている。
【００５２】
２番目に配置されている分別調整板３０４ｂと、筐体３０２および３番目に配置されている分別調整板３０４ｃとの間隔も、同様に廃棄樹脂片は落下するが、汚染物は上方に吹き上げられることが可能な最適な空気流速および間隔となるように調整されている。
【００５３】
その他の分別調整板３０４ｃ、３０４ｄに付いても同様に調整されている。これらの調整は、上述したようにそれぞれ独立に一定の角度範囲で角度の変更と長さが調整可能な構造とされているので、それぞれ独立に廃棄樹脂成型品の材質や廃棄樹脂片の形状に合わせて容易に行える。
【００５４】
この角度および長さの調整方法としては、例えば図５に示すような分別調整板３０４０を用いれば容易に行なえる。図５に示す分別調整板３０４０は、第１の調整板３０４２と、この第１の調整板３０４２に対してスライド可能な補助板である第２の調整板３０４６を取り付けた構成からなる。
【００５５】
さらに、第１の調整板３０４２には、筺体３０２への取り付け部３０４８の近傍に複数の孔である開口部３０４４が設けられている。この開口部３０４４は、筺体３０２の近傍領域で空気が滞留することを防止するためであり、開口部を通して空気が抜けるため圧力が減少し、この領域部で汚染物３０が滞留することを防止できる。
【００５６】
図５に示す構成の分別調整板３０４０だけでなく、角度と長さを調節する方法としてはさらに種々の構成の分別調整板としてもよい。例えば、風力選別機の壁面に形成された開口部の近傍に設けられた取り付け部に風力分別板が固定され、開口部を通して風力選別機内部に挿入され、この取り付け部により長さと角度を設定できる構成としてもよい。
【００５７】
あるいは、角度の変更や長さの調整は、廃棄樹脂成型品の材質や破砕樹脂片の形状を変更する時に必要となるだけで、一定条件で作業しているときには特に調整する必要はないので、種々の材質においてあらかじめ最適な分別調整板の形状を決めておき、材質や破砕樹脂片の形状を変更する時に、それに対応した分別調整板に取り替えるようにしてもよい。
【００５８】
このような分別調整板３０４ａ、３０４ｂ、３０４ｃ、３０４ｄ、３０４ｅを用いることにより、破砕樹脂片２５は下方に、汚染物３０は上方へ移動させて効率よく分別することができる。
【００５９】
つぎに、この乾式リサイクル処理装置の動作について説明する。
【００６０】
破砕機１００の筐体１０２の上部に設けられた蓋１０４を開き、リサイクル処理する廃棄樹脂成型品２０を投入する。蓋１０４を閉じた後、回転刃１１０を回転させると、廃棄樹脂成型品２０は回転刃１１０と固定刃１１２とにより切断される。一回の切断では篩目を通過するほどの形状にはならないので、切断された破砕片は回転刃１１０につられて回転したり、回転刃１１０と篩板１１４との空間部でも切断され、かつ破砕片同士が衝突したり、はじかれて、お互いの表面はこすられる。
【００６１】
この過程で、表面に付着しているよごれ、変質層および付着物からなる汚染物が除去されて分離する。複数回の切断が繰り返さて篩板１１４の篩目を通過する大きさの破砕樹脂片２５になると、この破砕樹脂片２５と分離された汚染物３０とはそれぞれ分離された状態で篩板１１４の篩目を通過して破砕機１００の下部に落下していく。
【００６２】
なお、回収される破砕樹脂片２５の大きさは１０ｍｍ角程度までとすることが多いので篩板１１４の篩目もこの大きさに合わせて設定されることが多い。この篩目の大きさの場合には、細片や細粒となっている汚染物３０は容易に篩板１１４を通過する。
【００６３】
分離状態の破砕樹脂片２５と汚染物３０とは、そのまま放置しておくと汚染物３０が再び破砕樹脂片２５に付着する。この付着が生じると、風力選別機で分離することができなくなる。
【００６４】
このため、本実施の形態のリサイクル処理装置においては、付着が生じないように風力を加えながら搬送機２００で風力選別機３００まで搬送する。これにより、風力選別機３００で破砕樹脂片２５と汚染物３０との確実な選別が可能となる。
【００６５】
ところで、篩目を通過することのできない大きな破砕片は、回転刃１１０と篩板１１４との間の空間部で篩目を通過する大きさになるまで繰り返し破砕されるが、この空間部に破砕片や汚染物３０が溜まりすぎると、回転刃１１０を駆動するモータに過負荷が生じる。
【００６６】
このため、モータは負荷制御のできるようにしておき、所定の負荷より大きな負荷がモータにかかると負荷制御センサが検知して、廃棄樹脂成型品２０の投入を制御するか、投入中止の信号を出すようにすれば、モータの破損を生じさせることがなくなり安定して長期間の運転が可能となる点で望ましい。
【００６７】
また、破砕機１００により破砕と篩を行って破砕樹脂片２５と汚染物３０とが分離されても、筐体１０２内が乾燥していると摺動接触により生じる静電気により互いに再付着しやすくなる。逆に、筐体１０２内の湿度が高い場合には、衝撃による破砕片の表面から汚染物３０を分離する効率が低下するとともに、分離除去された汚染物３０も水分により破砕樹脂片２５と再付着しやすくなる。
【００６８】
これに対して、破砕機１００、搬送機２００および風力選別機３００内の温湿度を一定状態に保持するため、温湿度調整機６００により温度４０℃〜８０℃、湿度４０％〜８０％に調整された空気を送風機６５０で破砕機用送風ダクト８００や選別機用送風ダクト７００を通して送風している。
【００６９】
この温湿度が調整された空気の風力と搬送機２００による搬送風力とによって、破砕機１００内では篩板１１４の篩効果が改善され、かつ汚染物３０と破砕樹脂片２５との再付着を防止しやすくなる。ただし、破砕機１００の設置場所や作業環境によっては、特に温湿度の調整を行う必要がない場合もあり、温湿度調整機６００は使用しない場合もある。
【００７０】
篩板１１４を通過した破砕樹脂片２５と汚染物３０とは搬送機２００により風力選別機３００に搬送される。このとき、風力を加えながら搬送することで、汚染物３０が破砕樹脂片２５に再付着することなく、分離した状態で風力選別機３００に搬送できる。
風力選別機３００に搬送された破砕樹脂片２５と汚染物３０とは、最上段の分別調整板３０４ａ、３０４ｅに当たると、汚染物３０は軽量であるので、その一部は空気吸引機４００により吸引され、汚染物収納容器５００に収納される。
【００７１】
破砕樹脂片２５と残りの汚染物３０とは、分別調整板３０４ｂ、３０４ｃ、３０４ｄ上を落下していくが、その過程で軽量な汚染物３０は下方からの風力により徐々に上方に移動していき、破砕樹脂片２５との分別が行なわれる。この結果、汚染物３０は空気吸引機４００により吸引され、汚染物収納容器５００に収納され、破砕樹脂片２５は落下していき破砕樹脂片収納容器６００に収納される。
【００７２】
以上の動作により、廃棄樹脂成型品は一定形状で、かつその表面の汚れ、付着物や変質層等の汚染物が除去された廃棄樹脂片２５とすることができる。この廃棄樹脂片２５をそのまま用いて、新しい樹脂成型品を作製してもよいし、またはこの廃棄樹脂片２５から所定のペレットを作製してから新しい樹脂成型品を作製してもよい。
【００７３】
これにより作製された樹脂成型品は、従来の湿式方式によりリサイクルして作製された樹脂成型品と比べても品質面での差異は見られなかった。一方、本発明の乾式リサイクル処理方法および処理装置の場合には、洗浄液や廃液、排水処理が不要であるので環境に対する負荷が小さく、かつ装置と運転費用が安価である。
【００７４】
なお、本実施の形態の乾式リサイクル処理装置においては、破砕機１００はドラム状の回転刃１１０と固定刃１１２とにより破砕する構成としたが、破砕機１００の構成としては破砕樹脂が複数回破砕されながら、お互いに擦れ合ったり引っかくようにできれば特に上記の破砕機構成には限定されない。
【００７５】
また、篩板１１４も必ずしも回転刃の下方部に半円周状に設ける構成には限定されず、所定の形状の破砕樹脂片２５が篩分別できれば形状に付いては特に限定されない。さらに、この篩板１１４は複数の篩目を有する板を積層した構成とすれば篩目の詰まりが少なくなり、より長時間運転することもできる。
【００７６】
さらに、本発明の乾式リサイクル処理装置において、風力選別機３００は空気吸引機４００により所定の風力を発生させる構成としたが、これに限定されることはない。例えば、空気吸引機４００に加えて、温湿度調整機６００に送風機を加えて、この送風機の風力も使用する構成としてもよい。
【００７７】
また、本発明の乾式リサイクル処理装置においては、破砕機１００や風力選別機３００中の温湿度を所定の値に保持するために、あらかじめ温湿度を調整した空気を導入したが、さらに破砕機１００や風力選別機３００中に温度および湿度を検知するセンサーを設けて導入する空気の温湿度を制御するようにしてもよい。
【００７８】
また、本実施の形態では廃棄樹脂片２５の形状を１０ｍｍ角程度としたが、廃棄樹脂片２５の形状は再利用に適した形状で、かつ破砕工程が長時間になり過ぎないような形状に設定すればよく、特に１０ｍｍ角程度には限定されない。
【産業上の利用可能性】
【００７９】
本発明に係る樹脂成型品の乾式リサイクル処理装置は、樹脂成型品に付着している汚染物の除去を洗浄液や、水を用いる湿式リサイクル方法と異なり、乾式で行うことができるため、洗浄液による洗浄や、洗浄液除去のすすぎ洗いや、乾燥工程がなく工数削減がはかれ、さらに廃液処理による環境負荷の増大を防止することができるため、家電製品やＯＡ機器等の樹脂成型品のリサイクル処理装置として有用である。
【図面の簡単な説明】
【００８０】
【図１】本発明の実施の形態にかかる廃棄樹脂成型品の乾式リサイクル処理方法を説明するためのフローチャート
【図２】同実施の形態にかかる廃棄樹脂成型品の乾式リサイクル処理方法についての、具体的な処理装置の一例を示す概略図
【図３】同実施の形態にかかる処理装置の破砕機部分の断面図
【図４】同実施の形態にかかる処理装置の風力選別機部分の断面図
【図５】同実施の形態にかかる処理装置の風力選別機で用いる分別調整板を示す斜視図
【図６】廃棄樹脂成型品を再利用するための従来方式の湿式リサイクル方式の工程を示すフローチャート
【符号の説明】
【００８１】
２０    廃棄樹脂成型品
２５    破砕樹脂片
３０    汚染物
１００    破砕機
１０２、３０２    筐体
１０４    蓋
１０６    ドラム
１０８    切断刃
１１０    回転刃
１１２    固定刃
１１４    篩板
２００    搬送機
３００    風力選別機
３０４ａ、３０４ｂ、３０４ｃ、３０４ｄ、３０４０    分別調整板
３０６    金属分別用磁石
４００    空気吸引機
５００    汚染物収納容器
５５０    破砕樹脂片回収容器
６００    温湿度調整機
６５０    送風機
７００    選別機用送風ダクト
７５０    選別機用バルブ
８００    破砕機用送風ダクト
８５０    破砕機用バルブ
３０４２    第１の調整板
３０４４    開口部
３０４６    第２の調整板
３０４８    取り付け部
【図１】
0004604540.tif 000002
【図２】
0004604540.tif 000003
【図３】
0004604540.tif 000004
【図４】
0004604540.tif 000005
【図５】
0004604540.tif 000006
【図６】
0004604540.tif 000007